(57)【要約】【課題】外套シースの基端に設けられた基端口金を可撓性挿入部と操作部との連結部付近に設けられた口金固定部に対して容易に離脱させて、周辺を汚染することなく、汚れた外套シースを可撓性挿入部から取り外すことができる外套シース付内視鏡を提供すること。【解決手段】外套シース２０の基端に設けられた基端口金２４が可撓性挿入部１１，１２，１３と操作部１５との連結部付近に設けられた口金固定部１８に固定及び離脱自在に構成されたものにおいて、口金固定部１８に弾力性のある材料からなる突起１９を突設すると共に、外套シース２０の基端口金２４に、突起１９が嵌め込まれる穴状部２５０と、その穴状部２５０に嵌まり込んだ状態の突起１９を外方から押し潰して穴状部２５０内から離脱させる手動操作部材２５１，２５２とを設けた。【選択図】　　　図１
2004073606.tif 000002
【特許請求の範囲】
【請求項１】
操作部に基端が連結された可撓性挿入部を外部から遮蔽するための外套シースが、上記可撓性挿入部に着脱自在に被覆されるように設けられた外套シース付内視鏡であって、上記外套シースの基端に設けられた基端口金が上記可撓性挿入部と上記操作部との連結部付近に設けられた口金固定部に固定及び離脱自在に構成されたものにおいて、
上記口金固定部に弾力性のある材料からなる突起を突設すると共に、上記外套シースの基端口金に、上記突起が嵌め込まれる穴状部と、その穴状部に嵌まり込んだ状態の上記突起を外方から押し潰して上記穴状部内から離脱させる手動操作部材とを設けたことを特徴とする外套シース付内視鏡。
【請求項２】
上記突起が、上記操作部と上記可撓性挿入部との間に配置された短筒状の部材から外方に突出形成されている請求項１記載の外套シース付内視鏡。
【請求項３】
上記口金固定部が弾力性のある材料によって筒状に形成されていて、上記突起が上記口金固定部と一体成形されている請求項１又は２記載の外套シース付内視鏡。
【請求項４】
上記突起が、上記可撓性挿入部の基端部付近が急激に曲がるのを防止するための折れ止めゴムから外方に突出形成されている請求項１記載の外套シース付内視鏡。
【発明の詳細な説明】
【０００１】
【発明の属する技術分野】
この発明は、可撓性挿入部が患者の体壁に直接接触しないようにするための外套シースが可撓性挿入部に対して着脱自在に設けられた外套シース付内視鏡に関する。
【０００２】
【従来の技術】
外套シース付内視鏡は一般に、内視鏡の可撓性挿入部を外部から遮蔽する外套シースを可撓性挿入部に対して着脱自在に被覆できるようになっており、外套シースを一回ごとに取り替えることにより、内視鏡を介しての患者間感染を完全に阻止することができる。
【０００３】
そのような外套シース付内視鏡は、一般に、外套シースの基端に設けられた基端口金が可撓性挿入部と操作部との連結部付近に設けられた口金固定部に固定及び離脱自在に構成されている。
【０００４】
口金固定部に外套シースの基端口金を固定するための具体的構造としては、基端口金に設けられた手動ネジを締め付けるようにするのが一般的であり（例えば特許第３０１７５７４号公報）、口金固定部に形成されたカム溝に基端口金を係脱させるようにしたものもある（例えば特許第３００７７１３号公報）。
【０００５】
【発明が解決しようとする課題】
しかし、手動ネジを締め付けて基端口金を固定する構造ではネジを回転させる操作が面倒であり、特に、内視鏡検査後に外套シースを取り外す際に、一方の手で操作部を保持して他方の手でネジを緩める操作に注意を集中させていると、汚れた外套シースで周辺を汚染してしまう恐れがある。
【０００６】
一方、カム溝を利用して基端口金を固定する構造では、手動ネジの場合より操作性がよいが、外套シースの大半を形成している軟らかい被覆チューブが軸線周りに捩られることになるので、その表面に付着している汚物が絞り出されて床面等を汚染する恐れがある。
【０００７】
そこで本発明は、外套シースの基端に設けられた基端口金を可撓性挿入部と操作部との連結部付近に設けられた口金固定部に対して容易に離脱させて、周辺を汚染することなく、汚れた外套シースを可撓性挿入部から取り外すことができる外套シース付内視鏡を提供することを目的とする。
【０００８】
【課題を解決するための手段】
上記の目的を達成するため、本発明の外套シース付内視鏡は、操作部に基端が連結された可撓性挿入部を外部から遮蔽するための外套シースが、可撓性挿入部に着脱自在に被覆されるように設けられた外套シース付内視鏡であって、外套シースの基端に設けられた基端口金が可撓性挿入部と操作部との連結部付近に設けられた口金固定部に固定及び離脱自在に構成されたものにおいて、口金固定部に弾力性のある材料からなる突起を突設すると共に、外套シースの基端口金に、突起が嵌め込まれる穴状部と、その穴状部に嵌まり込んだ状態の突起を外方から押し潰して穴状部内から離脱させる手動操作部材とを設けたものである。
【０００９】
なお、突起が、操作部と可撓性挿入部との間に配置された短筒状の部材から外方に突出形成されていてもよく、口金固定部が弾力性のある材料によって筒状に形成されていて、突起が口金固定部と一体成形されていてもよい。
【００１０】
或いは、突起が、可撓性挿入部の基端部付近が急激に曲がるのを防止するための折れ止めゴムから外方に突出形成されていてもよい。
【００１１】
【発明の実施の形態】
図面を参照して本発明の実施例を説明する。
図３において、１０は内視鏡、２０は、使用時に内視鏡１０の可撓性挿入部１１，１２，１３を外部環境から絶縁するために可撓性挿入部１１，１２，１３に着脱自在に被覆される外套シースである。
【００１２】
内視鏡１０の可撓性挿入部１１，１２，１３は、遠隔操作によって屈曲する湾曲部１２が細長い可撓管部１１の先端に連結され、観察窓１４等が先端面に配置された先端部本体１３が湾曲部１２の先端に連結されて構成されている。１５は、可撓管部１１の基端に連結された操作部である。
【００１３】
可撓管部１１の基端部分を囲むように、弾力性のある材料により外径が先細りのテーパ筒状に形成された折れ止めゴム１００が取り付けられている。１０１は、折れ止めゴム１００と一体に形成された金属製の取り付け口金である。
【００１４】
折れ止めゴム１００は先側へ漸次肉厚を薄くした形状に形成されており、それによって、二点鎖線で示されるように、可撓管部１１が曲げられても折れ止めゴム１００の作用により操作部１５との連結部近傍が急激に曲がらず、可撓管部１１の座屈破損が防止される。
【００１５】
可撓性挿入部１１，１２，１３内から操作部１５内にわたって、例えば可撓性のポリエチレン樹脂チューブ等からなる案内管路１７が配置されており、案内管路１７の先端開口１７ａは先端部本体１３の先端面に形成されている。
【００１６】
外套シース２０には、例えばシリコンゴムチューブ等のような伸縮性のある材料によって薄肉円筒状に形成された被覆チューブ２１が、内視鏡１０の可撓管部１１と湾曲部１２に着脱自在に被覆されるように設けられ、その先端には透明な部材により形成されて先端部本体１３部分に被嵌される先端キャップ２２が水密に取り付けられている。
【００１７】
被覆チューブ２１の基端に固着された短筒状の基端口金２４は、内視鏡１０の操作部１５と可撓管部１１との間に設けられた口金固定部材１８に対して被脱自在になっていて、基端口金２４に配置されている突起係合部２５を口金固定部材１８から外方に突出形成されている突起１９に対して任意に係脱させることができる。
【００１８】
被覆チューブ２１内には、例えば可撓性の四フッ化エチレン樹脂チューブからなる可撓性チャンネルチューブ２３（ここでは、処置具挿通チャンネル）が全長にわたって挿通配置されている。
【００１９】
そして、可撓性チャンネルチューブ２３の先端は先端キャップ２２の先端面において外面に開口するように先端キャップ２２に固着されており、可撓性チャンネルチューブ２３の基端部分２３ａは基端口金２４内を通って後方に延出している。
【００２０】
この可撓性チャンネルチューブ２３は内視鏡１０の案内管路１７内に全長にわたって挿脱自在であり、一点鎖線の矢印で示されるように、可撓性チャンネルチューブ２３の基端部分２３ａを案内管路１７に先端開口１７ａ側から差し込んで基端側開口（図示せず）から引き出すことができるようになっている。
【００２１】
図１は、外套シース２０が内視鏡１０の可撓性挿入部１１，１２，１３に被覆されて、外套シース２０の基端口金２４が操作部１５と可撓管部１１との連結部付近に設けられた口金固定部材１８に被嵌され、基端口金２４に配置されている突起係合部２５が口金固定部材１８に形成されている突起１９に係止された状態を示している。図２は、そのＩＩ−ＩＩ断面図である。
【００２２】
可撓管部１１は、操作部１５のフレーム１５ａの端部に螺合する押さえ環９によって基端連結口金１１ａがフレーム１５ａに固定されており、内蔵物である可撓性チャンネルチューブ２３等の図示は省略されている。１５ｂは操作部カバーである。
【００２３】
口金固定部材１８は、弾力性のあるゴム材等によって操作部カバー１５ｂの下端部を囲む短筒状に形成されて操作部１５と可撓管部１１との間に固定されており、口金固定部材１８から外方に突出する突起１９は、口金固定部材１８と同材料により口金固定部材１８と一体成形され、突起１９の可撓管部１１寄りの面は滑らかな斜面１９ａになっている。
【００２４】
突起係合部２５には、突起１９がすっぽりと嵌まり込む形状に基端口金２４を部分的に外方に膨らませて穴状部２５０が形成され、その穴状部２５０内に押圧部材２５１が可動に配置されている。
【００２５】
そして、押圧部材２５１と一体に連結形成された押し釦２５２を外方から押し込むことにより、突起１９を押圧部材２５１で真っ直ぐに押し潰して穴状部２５０内から離脱させることができる。なお、押圧部材２５１と押し釦２５２を外方に付勢する戻しバネ等を設けても差し支えない。
【００２６】
このような構成により、外套シース２０を内視鏡１０の可撓性挿入部１１，１２，１３に被覆する際には、図４に矢印Ａで示されるように、外套シース２０の基端口金２４を口金固定部材１８に被嵌するように可撓管部１１側から真っ直ぐにスライドさせるだけで、基端口金２４が斜面１９ａに沿って突起１９を押し潰しながら移動し、最後には突起１９が穴状部２５０に嵌まり込んで、基端口金２４が口金固定部材１８に固定された状態になる。
【００２７】
そして、内視鏡検査終了後に、図５に矢印Ｂで示されるように、押し釦２５２を外方から真っ直ぐに押し込んで、突起１９を押圧部材２５１で内方に押し潰して穴状部２５０内から押し出した後、矢印Ｃで示されるように、外套シース２０の基端口金２４を可撓管部１１側に真っ直ぐにスライドさせる操作を行うだけで口金固定部材１８から基端口金２４を離脱させることができる。
【００２８】
なお、本発明は上記実施例に限定されるものではなく、例えば図６及びそのＶＩＩ−ＶＩＩ断面図である図７に示される第２の実施例のように、突起１９を折れ止めゴム１００から外方に突出形成する等の態様をとっても差し支えない。
【００２９】
この実施例においては、外套シース２０の基端口金２４が折れ止めゴム１００の外面に沿ったテーパ筒状に形成されていて、その途中に切り込みを形成することにより、穴状部２５０と押圧部材２５１（兼押し釦２５２）とが形成されている。
【００３０】
【発明の効果】
本発明によれば、可撓性挿入部と操作部との連結部付近に設けられた弾力性のある材料からなる突起を、手動操作部材で外方から押し潰す操作を行うだけで、外套シースの基端口金に形成された穴状部に嵌まり込んだ状態から容易に離脱させて、周辺を汚染することなく、汚れた外套シースを可撓性挿入部から取り外すことができる優れた効果を有する。
【図面の簡単な説明】
【図１】本発明の第１の実施例の外套シース付内視鏡の部分側面断面図である。
【図２】本発明の第１の実施例の外套シース付内視鏡の図１におけるＩＩ−ＩＩ断面図である。
【図３】本発明の第１の実施例の外套シース付内視鏡の外套シースが分離された状態の一部を断面で示す側面図である。
【図４】本発明の第１の実施例の外套シース付内視鏡の外套シースを取り付ける状態の部分側面断面図である。
【図５】本発明の第１の実施例の外套シース付内視鏡の外套シースを取り外す状態の部分側面断面図である。
【図６】本発明の第２の実施例の外套シース付内視鏡の部分側面断面図である。
【図７】本発明の第２の実施例の外套シース付内視鏡の図６におけるＶＩＩ−ＶＩＩ断面図である。
【符号の説明】
１０　内視鏡
１１　可撓管部（可撓性挿入部）
１２　湾曲部（可撓性挿入部）
１３　先端部本体（可撓性挿入部）
１５　操作部
１８　口金固定部材（口金固定部）
１９　突起
２０　外套シース
２１　被覆チューブ
２４　基端口金
２５　突起係合部
１００　折れ止めゴム
２５０　穴状部
２５１　押圧部材（手動操作部材）
２５２　押し釦（手動操作部材）
【図１】
2004073606.tif 000003
【図２】
2004073606.tif 000004
【図３】
2004073606.tif 000005
【図４】
2004073606.tif 000006
【図５】
2004073606.tif 000007
【図６】
2004073606.tif 000008
【図７】
2004073606.tif 000009